(57)【要約】【課題】この発明は、一日を単位として、予め設定され、スタート時から設定時間経過時に経過時報を、１回またはそれ以上の所要回を所要設定の間隔で報知する循環型経過時・報知装置の提供にある。【解決手段】基板上にＩＣチップ、スピーカー、スタートスイッチおよび電池を配備して本体ケースに収容し、前記ＩＣチップは、２４時間を単位としてクオーツによる時刻をカウントするクロック回路と、スタートスイッチによりタイマー時刻をカウントするタイマー回路と、スタート時のスタート時報知回路と、タイマー回路のタイムアップ時に経過時報知回路と、スタート時復帰リセットスタート時報知回路と、夫々にメロディー等報知音作動回路から構成してなる循環型経過時・報知装置。【選択図】　　　　図２
2004093508.tif 000002
【特許請求の範囲】
【請求項１】
基板上にＩＣチップ、スピーカー、スタートスイッチおよび電池を配備してなる循環型経過時・報知装置。
【請求項２】
前記ＩＣチップは、２４時間を単位としてクオーツによる時刻をカウントするクロック回路と、スタートスイッチによりタイマー時刻をカウントするタイマー回路と、スタート時および復帰リセットスタート時報知回路と、タイマー回路のタイムアップ時に経過時報知回路と、夫々にメロディー等報知音作動回路からなる請求項１の循環型経過時・報知装置。
【請求項３】
前記ＩＣチップによるタイマー時刻をカウントするタイマー回路の動作は、スタート時刻に対して、２〜ｎ回に渡り設定された時刻に動作させ、２４時間後、スタート時刻に戻る回路に構成され、電池のパワーのある限り繰り返す請求項２の循環型経過時・報知装置。
【請求項４】
前記基板上に配備するＩＣチップ、スピーカー、スタートスイッチおよび電池は、本体ケースに収容してなる請求項２または請求項３の循環型経過時・報知装置。
【請求項５】
前記本体ケースの上半外面に支点を中心に所要半径の円周上にその円周を１２等分して１から１２の数字を等間隔に時間数字を表示し、この時間数字に対面する円盤型ダイヤルを、本体ケースの上半外面の支点に、一定の回転抵抗を付与し、中心を回転自在に軸支すると共に、その円周を１２等分して前記時間数字の一つの数字に対応する大きさで指の差し入れ操作部となる差入孔と、そのスタート時表示孔となるスタート時表示孔兼操作孔と、それから設定経過時の時報を報知する時間を表示する経過時表示孔を報知回数に対応して開口してなる請求項４の循環型経過時・報知装置。
【発明の詳細な説明】
【０００１】
【発明が属する技術分野】
この発明は、一日を単位として、予め設定され、スタート時から設定時間経過時に経過時報を、１回またはそれ以上の所要回を所要設定の間隔で報知する循環型経過時・報知装置に関するものである。
【０００２】
【従来の技術】
従来、一定時間の経過を時報により報知するタイマー装置は、各種知られており、例えば、１〜１９までの数字を表示する時間表示と、１〜５９までの数字を表示する分表示とからなるデイスプレー部と、そのデイスプレー部の時間表示を操作する時間操作ボタンと、同じく、分表示を操作する分操作ボタンと、その時間操作ボタンと分操作ボタンとを同時操作でリセットボタンを兼用し、スターとおよびストップを操作するスター・ストップボタンとから構成され、タイムアップ時間から分ごとに減算して経過時間を表示し、かつ、タイムアップ時報を報知する長時間タイプと、例えば、１〜９９までの数字を表示する分表示と、１〜５９までの数字を表示する秒表示とからなるデイスプレー部と、そのデイスプレー部の分表示を１０分ごとに加算操作する１０分操作ボタンと、同じく、分表示を１分ごとに加算操作する１分操作ボタンと、同じく、デイスプレー部の秒表示を１０秒ごとに加算操作する１０秒操作ボタンと、スタートおよびストップを操作するスタート・ストップボタンと、リセットボタンとから構成され、最長９９分から残り時間を秒ごとに減算して経過時間を表示し、かつ、タイムアップ時報を報知する短時間タイプとがある。
【０００３】
【発明が解決しようとする課題】
保健薬、治療薬は、一日に１回、２回、３回と定められ、継続的に一定期間に渡って服用するものである。特に、朝食後、夕食後の２回、朝食後、昼食後、夕食後の３回等が一般的である。しかるに、前記既存のタイマー装置であると、カウントアップタイプであるため、就寝時にセットして起床には役立っても、夕食後のために、朝食後、毎日タイマー装置をセットする必要があるが、これは極めて煩雑である。また、夕食は、その日の都合で遅れ、定刻に取れないことも多いものである。
そこで、この発明は、起床、朝食、夕食の基準時間に時報を報知し、例えば、夕食の報知は、保健薬の服用時であることを想起させ、確実に用件処理を果たさせようとするものである。
また、このタイマー装置は、健康維持用品の販売促進のために、無料もしくはそれに近い安価に提供する必要があり、ＩＣ回路は簡単なもので、低コストで製作できるものとする。
【０００４】
【課題を解決するための手段】
基板上にＩＣチップ、スピーカー、スタートスイッチおよび電池を配備してなる循環型経過時・報知装置にある。
【０００５】
前記ＩＣチップは、２４時間を単位としてクオーツによる時刻をカウントするクロック回路と、スタートスイッチによりタイマー時刻をカウントするタイマー回路と、スタート時および復帰リセットスタート時報知回路と、タイマー回路のタイムアップ時に経過時報知回路と、夫々にメロディー等報知音作動回路から構成してもよいものである。
【０００６】
前記ＩＣチップによるタイマー時刻をカウントするタイマー回路の動作は、スタート時刻に対して、２〜ｎ回に渡り設定された時刻に動作させ、２４時間後、スタート時刻に戻る回路に構成され、電池のパワーのある限り繰り返す循環型経過時・報知装置としてもよいものである。
【０００７】
前記基板上に配備するＩＣチップ、スピーカー、スタートスイッチおよび電池は、本体ケースに収容してなる循環型経過時・報知装置としてもよいものである。
【０００８】
前記本体ケースの上半外面に支点を中心に所要半径の円周上にその円周を１２等分して１から１２の数字を等間隔に時間数字を表示し、この時間数字に対面する円盤型ダイヤルを、本体ケースの上半外面の支点に、一定の回転抵抗を付与し、中心を回転自在に軸支すると共に、その円周を１２等分して前記時間数字の一つの数字に対応する大きさで指の差し入れ操作部となる差入孔と、そのスタート時表示孔となるスタート時表示孔兼操作孔と、それから設定経過時の時報を報知する時間を表示する経過時表示孔を報知回数に対応して開口してなる循環型経過時・報知装置としてもよいものである。
【０００９】
【発明の実施の形態】
基板上にＩＣチップ、スピーカー、スタートスイッチおよび電池を配備して本体ケースに収容し、前記ＩＣチップは、２４時間を単位としてクオーツによる時刻をカウントするクロック回路と、スタートスイッチによりタイマー時刻をカウントするタイマー回路と、スタート時および復帰リセットスタート時報知回路と、タイマー回路のタイムアップ時に経過時報知回路と、夫々にメロディー等報知音作動回路から構成し、前記ＩＣチップによるタイマー時刻をカウントするタイマー回路の動作は、スタート時刻に対して、２〜ｎ回に渡り設定された時刻に動作させ、２４時間後、スタート時刻に戻る回路に構成され、電池のパワーのある限り繰り返し、前記本体ケースの上半外面に支点を中心に所要半径の円周上にその円周を１２等分して１から１２の数字を等間隔に時間数字を表示し、この時間数字に対面する円盤型ダイヤルを、本体ケースの上半外面の支点に、一定の回転抵抗を付与し、中心を回転自在に軸支すると共に、その円周を１２等分して前記時間数字の一つの数字に対応する大きさで指の差し入れ操作部となる差入孔と、そのスタート時表示孔となるスタート時表示孔兼操作孔と、それから設定経過時の時報を報知する時間を表示する経過時表示孔を対応して開口してなる循環型経過時・報知装置。
【００１０】
【実施例】
以下、この発明の循環型経過時・報知装置を実施例として示す図面により説明すると、実施例の循環型経過時・報知装置１は、図１に示すように、基板２上にＩＣチップ３、スピーカー４、スタートスイッチ５、および電池６を配備してなるものである。
【００１１】
前記ＩＣチップ３は、２４時間を単位としてクオーツによる時刻をカウントするクロック回路７と、スタートスイッチ５によりタイマー時刻をカウントするタイマー回路８と、スタート時および復帰リセットスタート時報知回路９と、タイマー回路８のタイムアップ時に経過時報知回路１０と、夫々にメロディー等報知音作動回路１１から構成される。そして、ＩＣチップ３、スピーカー４、スタートスイッチ５、および電池６の結線は、図２に示す通りである。
【００１２】
そこで、図３に示すように、前記ＩＣチップ３によるタイマー回路８がスタートオンから１４時間の経過でタイムアップに、また、タイマー回路８は、それから１０時間後にスタート時間に戻るように夫々設定されている場合においては、使用目的から、例えば、午前８に保健薬を服用する時刻であれば、その午前８になるまで待って、その時刻の到来と共に、スタートスイッチ５をオンすると、クロック回路７と、タイマー時刻をカウントするタイマー回路８とを夫々動作させ、また、スタート時および復帰リセットスタート時報知回路９を動作させるので、設定の数秒間、スピーカー４から、設定にしたがって、ブザー、チャイムまたはメロディーが発音される。
【００１３】
次に、午前８より設定された時刻、この実施例では、１４時間を経過すると、タイマー回路８はカウントアップし、タイマー回路８のタイムアップ時に経過時報知回路１０の動作およびメロディー等報知音作動回路１１よりスタート時と同様にスピーカー４から、設定にしたがって、ブザー、チャイムまたはメロディーが発音される。そして、それから、１０時間後にスタート時間に戻るように夫々設定されているから、再び、スタート時および復帰リセットスタート時報知回路９を動作させてメロディー等報知音作動回路１１より設定の数秒間、スピーカー４から、設定にしたがって、ブザー、チャイムまたはメロディーが発音されるのである。
【００１４】
前記ＩＣチップ３によるタイマー時刻をカウントするタイマー回路８の動作は、図４に示すように、スタート時刻に対して、２〜ｎ回に渡り設定された時刻に動作させることができ、２４時間後、すなわち、スタート時刻に戻る回路に構成されているのである。そして、電池のパワーのある限り繰り返すものである。
【００１５】
Ａの時刻について変更ができる。すなわち、Ａ時刻の設定は、標準時刻に合わせてスタートスイッチを押してオンすることにより設定できる。
【００１６】
前記基板２上に配備するＩＣチップ３、スピーカー４、スタートスイッチ５、および電池６は、図５に示すように、本体ケース１２に収容してなるものである。
【００１７】
前記本体ケース１２の下部外面にスピーカー４に対して放音孔１３と、スイッチ５のボタン５ａを突出する開口１４を開設している。
【００１８】
前記本体ケース１２の上半外面に支点１５を中心に所要半径の円周上にその円周を１２等分して１から１２の数字を等間隔に時間数字１６を表示し、この時間数字１６に対面する円盤型ダイヤル１７を、本体ケース１２の上半外面の支点１５に、一定の回転抵抗を付与し、中心を回転自在に軸支すると共に、その円周を１２等分して前記時間数字１６の一つの数字１６に対応する大きさで指の差し入れ操作部となる差入孔と、そのスタート時表示孔となるスタート時表示孔兼操作孔１８と、それから設定経過時の時報を報知する時間を表示する経過時表示孔１９を開口してなるものである。
【００１９】
【発明の効果】
この発明の循環型経過時・報知装置は、以上のようになるから、基準時にスタートスイッチをオンさせると、一日を単位として、２回からｎ回、設定した時刻（正確には一定時間経過後）を循環して報知し、知らせることができるものである。このタイマー回路は、予め設定しているから、使用に当たっての設定操作が一切必要なく、スタートスイッチのオンのみで足り、操作が極めて簡単である。よって、健薬、治療薬等は、一日に１回、２回、３回と定められ、継続的に一定期間に渡って服用する場合の指針に好都合である。
【００２０】
また、この発明の循環型経過時・報知装置のタイマー回路は、予め設定するから、構成を簡単にすることができ、製造コストの低減に寄与することができ、商品の販売促進のために頒布することができるものである。
【００２１】
また、この発明の循環型経過時・報知装置は、報知時刻を回転ダイヤルによって表示しているから、設定時刻を明瞭に表示することができ、また、スタート時刻の変更もダイヤルの回転と、その時刻のスタートスイッチの操作によるから、簡単・確実に行えるものである。
【図面の簡単な説明】
【図１】同じく、この発明の循環型経過時・報知装置の本体ケースの内部に配備される電気回路部品を示す平面図である。
【図２】同じく、この発明の循環型経過時・報知装置の電気回路の実施例を示すブロック結線図である。
【図３】同じく、この発明の循環型経過時・報知装置において、１日に２回作動する場合のフローチャート作動説明図である。
【図４】同じく、この発明の循環型経過時・報知装置において、１日に３〜ｎ回作動する場合のフローチャート作動説明図である。
【図５】この発明の循環型経過時・報知装置の実施例を示す外観正面図である。
【図６】同じく、この発明の循環型経過時・報知装置の実施例を示す側面図である。
【図７】同じく、この発明の循環型経過時・報知装置の実施例を示すスタート時の選択表示盤単体の正面図である。
【図８】同じく、この発明の循環型経過時・報知装置の実施例を示す本体ケース単体の正面図である。
【符号の説明】
１　循環型経過時・報知装置
２　基板
３　ＩＣチップ
４　スピーカー
５　スタートスイッチ
５ａ　ボタン
６　電池
７　クロック回路
８　タイマー回路
９　スタート時および復帰リセットスタート時報知回路
１０　経過時報知回路
１１　メロディー等報知音作動回路
１２　本体ケース
１３　放音孔
１４　開口
１５　支点
１６　時間数字
１７　円盤型ダイヤル
１８　スタート時表示孔兼操作孔
１９　経過時表示孔
【図１】
2004093508.tif 000003
【図２】
2004093508.tif 000004
【図３】
2004093508.tif 000005
【図４】
2004093508.tif 000006
【図５】
2004093508.tif 000007
【図６】
2004093508.tif 000008
【図７】
2004093508.tif 000009
【図８】
2004093508.tif 000010